(57)【要約】【課題】安価で、しかも低消費電力の地絡検出装置を提供する。【解決手段】入力波形についての正側のピーク値Ｖｐ１を検出する正側ピーク検出部４と、入力波形についての負側のピーク値Ｖｐ２を検出する負側ピーク検出部５と、入力波形が正側閾値よりも上昇したときに検出信号Ｓｄ１を出力する正側比較部６と、入力波形が負側閾値よりも低下したときに検出信号Ｓｄ２を出力する負側比較部７と、日時データＤｔを生成する時計部８と、記憶部１０と、検出信号Ｓｄ１を入力したときにピーク値Ｖｐ１と正極性を示す極性データＤｐｏとを測定日時データＤｍｔと共に記憶部１０に記憶させ、検出信号Ｓｄ２を入力したときにピーク値Ｖｐ２と負極性を示す極性データＤｐｏとを測定日時データＤｍｔと共に記憶部１０に記憶させる制御部１２とを備えている。【選択図】図１
2006047121.tif 000002
【特許請求の範囲】
【請求項１】
入力波形についての正側のピーク値を検出する正側ピーク検出部と、
前記入力波形についての負側のピーク値を検出する負側ピーク検出部と、
前記入力波形が正側閾値よりも上昇したときに第１の検出信号を出力する正側比較部と、
前記入力波形が負側閾値よりも低下したときに第２の検出信号を出力する負側比較部と、
日時データを生成する時計部と、
記憶部と、
前記第１の検出信号を入力したときに前記正側ピーク検出部によって検出された前記ピーク値と正極性を示す極性データとを前記日時データと共に前記記憶部に記憶させ、前記第２の検出信号を入力したときに前記負側ピーク検出部によって検出された前記ピーク値と負極性を示す極性データとを前記日時データと共に前記記憶部に記憶させる制御部とを備えている地絡検出装置。
【請求項２】
前記制御部は、前記検出された前記ピーク値に基づいて前記入力波形についての実効値を算出して前記日時データと共に当該記憶部に記憶させる請求項１記載の地絡検出装置。
【発明の詳細な説明】
【技術分野】
【０００１】
本発明は、高圧電線などの電力線に生じた地絡を検出する地絡検出装置に関するものである。
【背景技術】
【０００２】
この種の地絡検出装置は、特開平９−１５９７１８号公報に開示されているように、例えば電力線における地絡事故の発生（電流の発生）区間を特定するためのシステムに使用される。具体的には、同公報にはその詳細な構成は開示されてはいないが、一般的には、地絡検出装置は、電力線に間隔を設けて設置された電線毎に配設されて、対応する電線に流れる電流を電流センサで検出すると共に、この電流を検出したときには、検出した電流（またはこの電流を電流／電圧変換した電圧）をＡ／Ｄ（アナログ／デジタル）変換すると共にその波形データをメモリに記憶する機能を備えている。したがって、作業者は、各電線に配設された各地絡検出装置のメモリに記憶されている波形データを解析することにより、各地絡検出装置においてほぼ同じ日時に検出された電流の最初のピーク値（第一波のピーク値）およびそのピーク値の極性に基づいて、この日時に電力線において発生した地絡事故の発生区間（電流の発生区間）を特定することができる。
【特許文献１】特開平９−１５９７１８号公報（第２頁）
【発明の開示】
【発明が解決しようとする課題】
【０００３】
ところが、従来の地絡検出装置には、以下のような問題点がある。すなわち、この地絡検出装置では、地絡事故の発生時における電流をＡ／Ｄ変換すると共に変換によって得られた波形データをメモリに記憶させている。この場合、この電流のピーク値および極性を正確に特定できるようにするためには、この電流を極めて短い周期でサンプリングしてＡ／Ｄ変換しなければならず、高速なＡ／Ｄ変換器が必要になる。また、極めて短い周期でＡ／Ｄ変換するため、メモリに記憶させる波形データも大量となる結果、大容量のメモリが必要になる。したがって、高速なＡ／Ｄ変換器や大容量のメモリが高価であると共に消費電力も多いため、この地絡検出装置には、製品価格が上昇し、しかも消費電力が大きいという問題点が存在する。
【０００４】
本発明は、かかる問題点に鑑みてなされたものであり、安価で、しかも低消費電力の地絡検出装置を提供することを主目的とする。
【課題を解決するための手段】
【０００５】
上記目的を達成すべく請求項１記載の地絡検出装置は、入力波形についての正側のピーク値を検出する正側ピーク検出部と、前記入力波形についての負側のピーク値を検出する負側ピーク検出部と、前記入力波形が正側閾値よりも上昇したときに第１の検出信号を出力する正側比較部と、前記入力波形が負側閾値よりも低下したときに第２の検出信号を出力する負側比較部と、日時データを生成する時計部と、記憶部と、前記第１の検出信号を入力したときに前記正側ピーク検出部によって検出された前記ピーク値と正極性を示す極性データとを前記日時データと共に前記記憶部に記憶させ、前記第２の検出信号を入力したときに前記負側ピーク検出部によって検出された前記ピーク値と負極性を示す極性データとを前記日時データと共に前記記憶部に記憶させる制御部とを備えている。
【０００６】
また、請求項２記載の地絡検出装置は、請求項１記載の地絡検出装置において、前記制御部は、前記検出された前記ピーク値に基づいて前記入力波形についての実効値を算出して前記日時データと共に当該記憶部に記憶させる。
【発明の効果】
【０００７】
請求項１記載の地絡検出装置によれば、正側ピーク検出部、負側ピーク検出部、正側比較部、負側比較部および時計部を備え、制御部が第１の検出信号を入力したときに正側ピーク検出部によって検出されたピーク値と正極性を示す極性データとを日時データと共に記憶部に記憶させ、第２の検出信号を入力したときに負側ピーク検出部によって検出されたピーク値と負極性を示す極性データとを日時データと共に記憶部に記憶させることにより、地絡検出装置を取り付けた電線において発生した電流についての第一波のピーク電流値およびその極性を示す極性データを、高速なＡ／Ｄ変換器および大容量のメモリを使用することなく、直接検出して記憶部に記憶させることができる。したがって、この地絡検出装置によれば、高速なＡ／Ｄ変換器および大容量のメモリという高価で、しかも高消費電力の電子部品の使用を回避することができるため、製品コストを低減できると共に消費電力を低減することができる。また、この地絡検出装置によれば、消費電力を低減できるため、バッテリで作動させる構成を採用したときには、所望の連続作動時間を確保しつつ、バッテリを小形化することができる結果、装置自体も小形化することができる。したがって、電力線に設けられた電線に対して地絡検出装置を容易に取り付けることができる共に容易に取り外すことができる。
【０００８】
また、請求項２記載の地絡検出装置によれば、電流の実効値を算出することができるため、この実効値に基づいて電力線において発生した地絡事故の発生区間（電流の発生区間）を特定することができる。
【発明を実施するための最良の形態】
【０００９】
以下、添付図面を参照して、本発明に係る地絡検出装置の最良の形態について説明する。
【００１０】
最初に、地絡検出装置１の構成について図面を参照して説明する。
【００１１】
地絡検出装置１は、図１に示すように、電流センサ部２、増幅部３、正側ピーク検出部４、負側ピーク検出部５、正側比較部６、負側比較部７、時計部８、表示部９、記憶部１０、操作部１１および制御部１２を備えて構成されて、電線１４に流れる電流Ｉを検出する。
【００１２】
電流センサ部２は、一例として、カレントトランス２ａと抵抗２ｂとを備えている。この場合、カレントトランス２ａは、電線１４がその中心部分を通過するように、この電線１４に取り付けられている。抵抗２ｂは、カレントトランス２ａによって検出された電流Ｉを電圧Ｖｓに変換する。増幅部３は、入力した電圧Ｖｓを予め設定された増幅率で増幅すると共に、正側ピーク検出部４、負側ピーク検出部５、正側比較部６および負側比較部７に電圧信号（本発明における入力波形）Ｓｉとして出力する。一例として、増幅部３は、電流Ｉが１００アンペアのときに電圧信号Ｓｉが１ボルトとなるように、その増幅率が規定されている。
【００１３】
正側ピーク検出部４は、入力した電圧信号Ｓｉについての正側のピーク値Ｖｐ１を検出して保持すると共に、このピーク値Ｖｐ１を制御部１２に出力する。また、正側ピーク検出部４は、リセット信号Ｓｒを入力したときに、保持しているピーク値Ｖｐ１を例えばゼロボルトにリセットする。負側ピーク検出部５は、入力した電圧信号Ｓｉについての負側のピーク値Ｖｐ２を検出して保持すると共に、このピーク値Ｖｐ２を制御部１２に出力する。また、負側ピーク検出部５も、リセット信号Ｓｒを入力したときに、正側ピーク検出部４と同様にして、保持しているピーク値Ｖｐ２を例えばゼロボルトにリセットする。この場合、正側ピーク検出部４および負側ピーク検出部５は、いわゆるピークホールド回路であって、例えば、ダイオードと、ダイオードに直列に接続されて充電されるキャパシタと、キャパシタに並列に接続されてリセット信号Ｓｒの入力時にオン状態に移行してキャパシタを放電するトランジスタ等のリセット用スイッチ素子とを備えた公知の回路で構成されている。
【００１４】
正側比較部６は、一例としてコンパレータで構成されて、入力した電圧信号Ｓｉと予め設定された正極性閾値Ｖｒｅ１とを比較し、電圧信号Ｓｉが正極性閾値Ｖｒｅ１よりも上昇したときにパルス状の検出信号（本発明における第１の検出信号）Ｓｄ１を制御部１２に出力する。負側比較部７は、一例としてコンパレータで構成されて、入力した電圧信号Ｓｉと予め設定された負極性閾値Ｖｒｅ２とを比較し、電圧信号Ｓｉが負極性閾値Ｖｒｅ２よりも低下したときにパルス状の検出信号（本発明における第２の検出信号）Ｓｄ２を制御部１２に出力する。
【００１５】
時計部８は、例えばリアルタイムクロック（ＲＴＣ）で構成されて、日時データＤｔを制御部１２に出力する。表示部９は、例えばＬＣＤで構成されて、制御部１２から入力したデータを表示する。記憶部１０は、ＲＯＭおよびＲＡＭ等で構成されて、制御部１２のための動作プログラムを記憶すると共に、電流Ｉについての第一波のピーク値（ピーク電流値Ｉｐ）、測定日時データＤｍｔ、および極性データＤｐｏをそれぞれ記憶する。操作部１１は、操作スイッチ（図示せず）を備え、制御部１２に対する表示コマンドＤｄの出力を可能に構成されている。制御部１２は、ＣＰＵ等で構成されると共に、記憶部１０に記憶されている動作プログラムに従って作動して、検出信号Ｓｄ１，Ｓｄ２のいずれかを入力したときに、電流Ｉについてのピーク値検出処理を実行することにより、電流Ｉについてのピーク値（ピーク電流値Ｉｐ）の算出と、このピーク値の極性データＤｐｏの特定とを行い、ピーク電流値Ｉｐと極性データＤｐｏとを測定日時データＤｍｔと共に記憶部１０に記憶させる。また、制御部１２は、操作部１１から表示コマンドＤｄを入力したときには、過去に発生した電流Ｉについて検出および特定したピーク値（ピーク電流値Ｉｐ）と極性データＤｐｏとを、測定日時データＤｍｔと共に記憶部１０から読み出して表示部９に表示させる。
【００１６】
次いで、地絡検出装置１の動作について図１を参照して説明する。
【００１７】
地絡検出装置１では、電源が投入された際に、制御部１２が、正側ピーク検出部４および負側ピーク検出部５にリセット信号Ｓｒを出力することにより、正側ピーク検出部４および負側ピーク検出部５によって保持されている各ピーク値Ｖｐ１，Ｖｐ２をリセットする。その後、正側ピーク検出部４は、入力した電圧信号Ｓｉに含まれている正側のピーク値Ｖｐ１を連続して検出する。一方、負側ピーク検出部５は、入力した電圧信号Ｓｉに含まれている負側のピーク値Ｖｐ２を連続して検出する。正側比較部６は、入力した電圧信号Ｓｉが正極性閾値Ｖｒｅ１よりも上昇したか否かを常に監視する。一方、負側比較部７は、入力した電圧信号Ｓｉが負極性閾値Ｖｒｅ２よりも低下したか否かを常に監視する。また、制御部１２は、検出信号Ｓｄ１，Ｓｄ２が各比較部６，７から出力される都度、その検出信号Ｓｄ１，Ｓｄ２を繰り返して入力する。
【００１８】
この状態において、電流Ｉが電線１４を流れた際には、この電流Ｉに比例した電圧Ｖｓが、電流センサ部２のカレントトランス２ａに接続された抵抗２ｂの両端に発生する。増幅部３は、この電圧Ｖｓを所定の増幅率で増幅して電圧信号Ｓｉを生成し、図１に示すように、正側ピーク検出部４、負側ピーク検出部５、正側比較部６および負側比較部７にその電圧信号Ｓｉをそれぞれ出力する。地絡が発生していない状態においては、電流Ｉは、通常、その周波数が商用周波数（例えば５０Ｈｚ）と同じで、かつその振幅が低いレベルにある。このため、電圧信号Ｓｉは、正極性閾値Ｖｒｅ１および負極性閾値Ｖｒｅ２のいずれにも達することはない。一方、地絡が発生したときには、電流Ｉは、その振幅が急激に増大する。このため、電圧信号Ｓｉもその振幅が急激に増大する結果、電圧信号Ｓｉは、正極性閾値Ｖｒｅ１および負極性閾値Ｖｒｅ２のいずれかに最初に達する正極性または負極性の第一波を含むようになる。一例として、最初に正極性側の振幅が急激に増大する第一波（正極性の第一波）を含む電流Ｉが電線１４に流れたときには、電圧信号Ｓｉは、図２に示すように、電流Ｉの第一波に対応する正極性の波（以下、「電圧信号Ｓｉの第一波」ともいう）を含んで構成される。この場合、電圧信号Ｓｉの第一波は、まず正極性閾値Ｖｒｅ１を超えてピーク値Ｖｐ１まで急速に上昇した後に、０ボルトに向けて急速に低下する。なお、同図に示す電圧信号Ｓｉは、この第一波に続いて発生する負極性の第二波を含んでいる。このため、正側比較部６が、電圧信号Ｓｉの第一波が上昇して正極性閾値Ｖｒｅ１を横切った時点で、検出信号Ｓｄ１を生成して制御部１２に出力し、次いで、負側比較部７が、電圧信号Ｓｉの第二波が低下して負極性閾値Ｖｒｅ２を横切った時点で、検出信号Ｓｄ２を生成して制御部１２に出力する。正側ピーク検出部４は、入力した電圧信号Ｓｉに含まれている正側のピーク値Ｖｐ１（第一波のピーク値）を検出して保持し、負側ピーク検出部５は、入力した電圧信号Ｓｉに含まれている負側のピーク値Ｖｐ２（第二波のピーク値）を検出して保持する。
【００１９】
制御部１２は、正側ピーク検出部４および負側ピーク検出部５をリセットした後の状態において、検出信号Ｓｄ１および検出信号Ｓｄ２のいずれか早い方を入力したときに、電流Ｉについてのピーク値検出処理を実行して、電流Ｉに含まれている第一波のピーク値（ピーク電流値Ｉｐ）と、このピーク値の極性を示す極性データＤｐｏと、電流Ｉの検出日時を示す測定日時データＤｍｔとを対応付けて記憶部１０に記憶させる。具体的には、制御部１２は、検出信号Ｓｄ１および検出信号Ｓｄ２のいずれか早い方を入力したときに、時計部８から日時データＤｔを入力して、測定日時データ（タイムスタンプ）Ｄｍｔとして記憶部１０に記憶させる。次いで、制御部１２は、検出信号Ｓｄ１および検出信号Ｓｄ２のいずれか早く入力した方の種類に応じて（最初に入力した検出信号が検出信号Ｓｄ１であるか、または検出信号Ｓｄ２であるかに応じて）、電流Ｉに含まれている第一波のピーク値の極性を特定して、極性データＤｐｏとして測定日時データＤｍｔに対応させて記憶部１０に記憶させる。この場合、制御部１２は、検出信号Ｓｄ１をより早く入力したときには、電流Ｉに含まれている第一波のピーク値の極性を正極性と特定し、検出信号Ｓｄ２をより早く入力したときには、電流Ｉに含まれている第一波のピーク値の極性を負極性と特定する。
【００２０】
次いで、制御部１２は、特定した極性が正極性のときには正側ピーク検出部４からピーク値Ｖｐ１を入力し、特定した極性が負極性のときには負側ピーク検出部５からピーク値Ｖｐ２を入力し、入力したピーク値Ｖｐ１（またはＶｐ２）に基づいて電流Ｉについての第一波のピーク値（ピーク電流値Ｉｐ）を算出する。本例では、上述したように、電流Ｉが１００アンペアのときに電圧信号Ｓｉが１ボルトとなるように増幅部３の増幅率が規定されているため、制御部１２は、ピーク電流値Ｉｐの算出に際して、正側ピーク検出部４から取り込んだピーク値Ｖｐ１または負側ピーク検出部５から取り込んだピーク値Ｖｐ２をピーク電流値Ｉｐとして算出する。また、制御部１２は、算出した電流Ｉについての第一波のピーク値（ピーク電流値Ｉｐ）を測定日時データＤｍｔに対応させて記憶部１０に記憶させる。最後に、制御部１２は、リセット信号Ｓｒを出力することにより、正側ピーク検出部４および負側ピーク検出部５によって保持されているピーク値Ｖｐ１，Ｖｐ２をそれぞれリセットする。これにより、１回の電流Ｉに対するピーク値検出処理が完了する。一例として、図２に示す電圧信号Ｓｉについては、その第一波が正極性の波であるため、制御部１２は、検出信号Ｓｄ１を最初に入力する。したがって、制御部１２は、正極性を示す極性データＤｐｏと正側ピーク検出部４において検出された正側のピーク値Ｖｐ１（ピーク電流値Ｉｐ）とを、測定日時データＤｍｔに対応させて記憶部１０にそれぞれ記憶させる。制御部１２は、地絡検出装置１の電源がオフされるまでの間、電線１４に電流Ｉが発生する都度、上述した電流Ｉに対するピーク値検出処理を繰り返し実行して、発生した電流Ｉ毎のピーク電流値Ｉｐ、極性データＤｐｏおよび測定日時データＤｍｔを、測定日時データＤｍｔによって示される日時順に記憶部１０に記憶させる。
【００２１】
また、図２に示した波形に限らず、電圧信号Ｓｉは、電流Ｉに応じて、例えば図３や図４に示すようになることがある。具体的には、図３に示す電圧信号Ｓｉは、第一波と第二波の極性が異なり、かつ第一波のピーク値Ｖｐ１の絶対値よりも第二波のピーク値Ｖｐ２の絶対値の方が大きくなる。また、図４に示す電圧信号Ｓｉは、第二波が第一波に対して逆極性とならずに、第一波と第二波とが同一の極性となる。制御部１２は、いずれの電圧信号Ｓｉに対しても、各比較部６，７から最初に入力した信号の種類（検出信号Ｓｄ１または検出信号Ｓｄ２）に基づいて第一波を特定して、この第一波の極性データＤｐｏとピーク値（ピーク電流値Ｉｐ）とを、測定日時データＤｍｔに対応させて記憶部１０に記憶させる。したがって、制御部１２は、地絡の態様に応じて波形が様々に変化する電流Ｉについての正極性閾値Ｖｒｅ１を超えたかまたは負極性閾値Ｖｒｅ２よりも低下した第一波のピーク値を正確に検出して記憶部１０に記憶させることができる。
【００２２】
一方、操作部１１から表示コマンドＤｄを制御部１２に入力したときには、制御部１２は、記憶部１０に記憶されている電線１４についての電流Ｉのピーク電流値Ｉｐ、極性データＤｐｏおよび測定日時データＤｍｔを読み出して表示部９に表示させる。したがって、作業者は、電力線の各電線１４に配設された各地絡検出装置１によってその記憶部１０に自動的に記憶されたピーク電流値Ｉｐ、極性データＤｐｏおよび測定日時データＤｍｔの内の、ほぼ同じ日時に検出されたピーク電流値Ｉｐおよび極性データＤｐｏに基づいて、この日時に電力線において発生した地絡事故の発生区間（電流の発生区間）を特定することができる。
【００２３】
このように、この地絡検出装置１によれば、正側ピーク検出部４、負側ピーク検出部５、正側比較部６、負側比較部７および時計部８を備え、制御部１２が、検出信号Ｓｄ１を入力したときに、正側ピーク検出部４によって検出されたピーク値Ｖｐ１に基づいて算出した電流Ｉについての第一波のピーク電流値Ｉｐと正極性を示す極性データＤｐｏとを測定日時データＤｍｔと共に記憶部１０に記憶させ、検出信号Ｓｄ２を入力したときに、負側ピーク検出部５で検出されたピーク値Ｖｐ２に基づいて算出した電流Ｉについての第一波のピーク電流値Ｉｐと負極性を示す極性データＤｐｏとを測定日時データＤｍｔと共に記憶部１０に記憶させることにより、地絡検出装置１を取り付けた電線１４において発生した電流Ｉについての第一波のピーク電流値Ｉｐおよびその極性を示す極性データＤｐｏを、高速なＡ／Ｄ変換器および大容量のメモリを使用することなく、直接検出して記憶部１０に記憶させることができる。したがって、この地絡検出装置１によれば、高速なＡ／Ｄ変換器および大容量のメモリという高価で、しかも高消費電力の電子部品の使用を回避することができるため、製品コストを低減できると共に消費電力を低減することができる。また、この地絡検出装置１によれば、消費電力を低減できるため、バッテリで作動させる構成を採用したときには、所望の連続作動時間を確保しつつ、バッテリを小形化することができる結果、装置自体も小形化することができる。したがって、例えば電線１４として、地中配電線の接続部などに設けられた接地用電線、架空配電線、屋内用配電線、その他、電力線などの誘導電流を流す電線を想定した場合においても、これらの電線に対して地絡検出装置１を容易に取り付けることができる共に、容易に取り外すことができる。
【００２４】
なお、本発明は、上記の構成に限定されない。例えば、入力したピーク電流値Ｉｐに基づいて電流Ｉについての実効値（実効電流値）Ｉｒｍｓを算出すると共に、算出した実効値Ｉｒｍｓをピーク電流値Ｉｐと共に、またはピーク電流値Ｉｐに代えて、測定日時データＤｍｔと共に記憶部１０に記憶させるように制御部１２を構成することもできる。この場合、制御部１２は、例えば、電流Ｉの波形を正弦波とみなして、ピーク電流値Ｉｐを２の平方根で除算することにより、実効値Ｉｒｍｓを算出する。この構成により、この実効値Ｉｒｍｓに基づいて、電力線において発生した地絡事故の発生区間（電流の発生区間）を特定することができる。
【００２５】
また、上記の正側比較部６および負側比較部７では、予め設定された固定値を正極性閾値Ｖｒｅ１および負極性閾値Ｖｒｅ２として使用する構成が採用されているが、この構成に代えて、操作部１１で設定されて制御部１２を介して入力した任意の値を正極性閾値Ｖｒｅ１および負極性閾値Ｖｒｅ２として使用する構成を採用することもできる。また、正極性閾値Ｖｒｅ１および負極性閾値Ｖｒｅ２用の候補値を記憶部１０に予め複数記憶させておき、表示部９に表示されたこれらの候補値の内から任意の２つを操作部１１を操作して特定し、この特定した２つの候補値を正極性閾値Ｖｒｅ１および負極性閾値Ｖｒｅ２として制御部１２から正側比較部６および負側比較部７に出力させる構成を採用することもできる。このように、正極性閾値Ｖｒｅ１および負極性閾値Ｖｒｅ２を任意に設定できる構成を採用することにより、配設する電線毎に、この電線に流れる電流Ｉを検出するのに最適な値に正極性閾値Ｖｒｅ１および負極性閾値Ｖｒｅ２を設定することができる。したがって、配設された電線に発生した地絡を一層確実に検出することができる。具体的には、一例として、地絡が発生したときに流れる電流Ｉの最大測定値（ピーク電流値Ｉｐの最大値）が２００Ａのときには、１Ａ、４Ａ、７Ａ、１０Ａおよび１５Ａの５種類の値を正極性閾値Ｖｒｅ１用の候補値として、また−１Ａ、−４Ａ、−７Ａ、−１０Ａおよび−１５Ａの５種類の値を負極性閾値Ｖｒｅ２用の候補値とすることができる。
【００２６】
また、図１に示すように、ブザー等の音発生機器やＬＥＤ等の発光機器を用いて構成された出力部１３をさらに設けることができる。この構成では、制御部１２が、電流Ｉについての第一波のピーク電流値Ｉｐおよびその極性を示す極性データＤｐｏの記憶部１０への記憶を完了した時点で、音や光を発生させるように出力部１３を制御する。この構成によれば、作業者は、地絡検出装置１が電流Ｉについてのピーク電流値Ｉｐおよび極性データＤｐｏの検出完了を音や光で認識できる結果、電流Ｉについての発生検出作業を十分にやり易くすることができる。また、正側ピーク検出部４および負側ピーク検出部５の組に入力させる適正レベルと、正側比較部６および負側比較部７の組に入力させる適正レベルとが相違するときには、電圧信号Ｓｉの電圧レベルを増幅していずれか一方の組の適正レベルに合致させる増幅器を配設することもできる。
【図面の簡単な説明】
【００２７】
【図１】地絡検出装置１の構成を示すブロック図である。
【図２】正側ピーク検出部４、負側ピーク検出部５、正側比較部６および負側比較部７に入力される電圧信号Ｓｉの一般的な波形の一例を示す波形図である。
【図３】正側ピーク検出部４、負側ピーク検出部５、正側比較部６および負側比較部７に入力される電圧信号Ｓｉの波形の他の一例を示す波形図である。
【図４】正側ピーク検出部４、負側ピーク検出部５、正側比較部６および負側比較部７に入力される電圧信号Ｓｉの波形のさらに他の一例を示す波形図である。
【符号の説明】
【００２８】
１  地絡検出装置
４  正側ピーク検出部
５  負側ピーク検出部
６  正側比較部
７  負側比較部
８  時計部
１０  記憶部
１２  制御部
Ｄｔ  日時データ
Ｉ  電流
Ｓｄ１，Ｓｄ２  検出信号
Ｓｉ  電圧信号Ｓｉ（入力波形）
Ｖｐ１，Ｖｐ２  ピーク値
【図１】
2006047121.tif 000003
【図２】
2006047121.tif 000004
【図３】
2006047121.tif 000005
【図４】
2006047121.tif 000006